(57)【要約】【課題】放送番組や録画した番組などのコンテンツを出力しユーザーが視聴する場合に、ユーザーがそのコンテンツの情報を容易に確認できるようにし、利便性を向上させる。【解決手段】コンテンツ出力装置は、映像信号又は音声信号で構成されるコンテンツとして、出力可能な複数のコンテンツのうちの１つのコンテンツを、選択指示に応じて選択し出力する。情報表示装置は、上記コンテンツ出力装置において出力可能な複数のコンテンツの情報を、上記コンテンツ出力装置で出力されるコンテンツが明示される状態で表示させる。例えば該当番組をハイライト表示した番組表を表示させる。【選択図】図８
2007158806.tif 000002
【特許請求の範囲】
【請求項１】
コンテンツ出力装置と、情報表示装置とが通信可能に構成されたコンテンツ出力システムであって、
上記コンテンツ出力装置は、
映像信号又は音声信号で構成されるコンテンツとして、出力可能な複数のコンテンツのうちの１つのコンテンツを、選択指示に応じて選択する選択手段と、
上記選択手段で選択されたコンテンツを出力する出力手段と、
を備え、
上記情報表示装置は、
表示手段と、
コンテンツ情報表示として、上記コンテンツ出力装置において出力可能な複数のコンテンツの情報を、上記コンテンツ出力装置の上記出力手段で出力されるコンテンツが明示される状態で上記表示手段に表示させる制御手段と、
を備えることを特徴とするコンテンツ出力システム。
【請求項２】
外部機器と通信を行う通信手段と、
表示手段と、
コンテンツ情報表示として、外部機器であるコンテンツ出力装置において出力可能な複数のコンテンツの情報を、上記コンテンツ出力装置で出力されるコンテンツが明示される状態で表示させる制御手段と、
を備えることを特徴とする情報表示装置。
【請求項３】
操作手段を更に備え、
上記制御手段は、上記操作手段の操作による選択指示を、上記通信手段により上記コンテンツ出力装置に送信させると共に、上記操作手段の操作による選択指示から上記コンテンツ出力装置で出力されるコンテンツを判別して、そのコンテンツが明示される状態の上記コンテンツ情報表示を実行させることを特徴とする請求項２に記載の情報表示装置。
【請求項４】
上記制御手段は、上記通信手段で上記コンテンツ出力装置から送信されてくる出力コンテンツの通知情報を受信することにより、上記コンテンツ出力装置で出力されるコンテンツを判別して、そのコンテンツが明示される状態の上記コンテンツ情報表示を実行させることを特徴とする請求項２に記載の情報表示装置。
【請求項５】
上記制御手段は、上記コンテンツ情報表示として、上記コンテンツ出力装置において出力可能な複数のコンテンツの情報の一覧表示上で、上記コンテンツ出力装置で出力されるコンテンツの情報をハイライト表示させることを特徴とする請求項２に記載の情報表示装置。
【請求項６】
上記制御手段は、上記コンテンツ情報表示として、上記コンテンツ出力装置において出力可能な複数のコンテンツの情報の一覧表示と、上記コンテンツ出力装置で出力されるコンテンツの情報の拡大表示を実行させることを特徴とする請求項２に記載の情報表示装置。
【請求項７】
上記制御手段は、上記表示手段において、上記コンテンツ出力装置において出力可能な複数のコンテンツの情報の一覧表示を実行させているときに、上記コンテンツ出力装置でのコンテンツ出力に応じて、上記コンテンツ出力装置で出力されるコンテンツが明示される状態の上記コンテンツ情報表示を実行させることを特徴とする請求項２に記載の情報表示装置。
【請求項８】
上記制御手段は、上記表示手段において、上記コンテンツ出力装置において出力可能な複数のコンテンツの情報の一覧表示を実行させていないときに、上記コンテンツ出力装置で出力されるコンテンツの切換又はコンテンツ出力の開始を検知した場合には、上記一覧表示を実行させるとともに、上記コンテンツ出力装置から出力されるコンテンツが明示される状態の上記コンテンツ情報表示を実行させることを特徴とする請求項２に記載の情報表示装置。
【請求項９】
上記制御手段は、上記表示手段において、上記コンテンツ出力装置において出力可能な複数のコンテンツの情報の一覧表示を実行させていないときに、上記コンテンツ出力装置で出力されるコンテンツの切換又はコンテンツ出力の開始を検知した場合には、表示設定に応じて、上記コンテンツ情報表示を実行するか否かを判断することを特徴とする請求項８に記載の情報表示装置。
【請求項１０】
外部機器と通信を行う通信手段と、
映像信号又は音声信号で構成されるコンテンツとして、出力可能な複数のコンテンツのうちの１つのコンテンツを、選択指示に応じて選択する選択手段と、
上記選択手段で選択されたコンテンツを出力する出力手段と、
上記選択手段で選択され、上記出力手段で出力するコンテンツの通知情報を、上記通信手段により外部機器に送信する制御手段と、
を備えたことを特徴とするコンテンツ出力装置。
【請求項１１】
コンテンツ出力装置と、情報表示装置とが通信可能に構成されたコンテンツ出力システムのコンテンツ情報表示方法として、
上記コンテンツ出力装置において、映像信号又は音声信号で構成されるコンテンツとして出力可能な複数のコンテンツのうちの１つのコンテンツを、選択指示に応じて選択し、出力するコンテンツ出力ステップと、
上記情報表示装置において、上記コンテンツ出力装置において出力可能な複数のコンテンツの情報を、上記コンテンツ出力装置で出力されるコンテンツが明示される状態で表示させる表示ステップと、
を備えることを特徴とするコンテンツ情報表示方法。
【発明の詳細な説明】
【技術分野】
【０００１】
本発明は、コンテンツ出力システム、情報表示装置、コンテンツ出力装置、コンテンツ情報表示方法に関し、特には、テレビジョン放送番組、録画した放送番組、その他の各種の映像又は音声によるコンテンツについて、そのコンテンツに関する情報の表示にかかるものである。
【背景技術】
【０００２】
【特許文献１】特開平８−２２６５３号公報
【０００３】
近年、テレビジョン受像器、ビデオレコーダ、パーソナルコンピュータ、オーディオプレーヤなどの家電機器を家庭内等でネットワークシステム化することが実現され、各機器が有機的に連動しながら機能することも可能とされている。
このホームネットワークでは、受信しているテレビジョン放送番組、録画した番組、ＤＶＤ（Digital Versatile Disc）などのメディアに記録された映像／音声、或いは音楽など、各種のコンテンツをユーザーが高い自由度をもって楽しめるような機能が実現されている。
なおこのようなネットワークには、無線ＬＡＮ（Local Area Network）や有線ＬＡＮがあり、またＬＡＮ上でデータのやりとりをする仕様にはＤＬＮＡ（Digital Living Network Alliance）で仕様化されているプロトコルがある。
【０００４】
また、テレビジョン放送に関しては、ＥＰＧ（Electronic Programming Guide：電子番組ガイド）によって番組内容を電子的に入手し、ユーザーに提示することもできるようになっている。このＥＰＧは上記のようなホームネットワークでも有効利用され、例えばテレビジョン受像器やリモートコントローラなどでのＥＰＧ表示に対して操作を行うことでユーザーが視聴したい番組を選択したり、そのビデオレコーダでの録画予約操作を行うことなどができるようにされている。
【発明の開示】
【発明が解決しようとする課題】
【０００５】
ところで、テレビジョン放送の視聴を例に挙げて言うと、ユーザーが或るチャンネルの放送番組をみていたり、或いはチャンネルを切り換えているときに、その見ている番組がどのような番組であるかを、番組タイトルや内容、出演者等を確認したいことが多々ある。
現状では、見ている番組がどのような番組であるかを確認するには、ユーザーは視聴中のチャンネルと時刻を確認して、新聞や雑誌に掲載されているラジオ・テレビ欄から探し出さなければならない。これは面倒であると共に、手元に新聞等がなければ、どのような番組かを直ぐに知ることができない。
もちろん例えば視聴中のテレビジョン受像器、或いは別の機器でＥＰＧ表示させて確認しても良いが、チャンネルと時刻から視聴している番組の情報をユーザー自身で探し出すことは同様である。また、システムや機器によっては直ぐにＥＰＧ表示できる状態になかったり、或いは視聴中のテレビジョン受像器でＥＰＧ表示させるのは、その間、番組映像がＥＰＧ表示で妨げられることが不都合であったりする。
つまり現状では、ユーザーが現在視聴している放送番組に関する情報を簡便に入手する手法がないため、不便となることがある。
【０００６】
放送番組視聴中の例に挙げたが、例えば録画した番組等を再生させているときも、その番組等に関する情報をユーザーが確認したい場合なども同様である。
【０００７】
そこで本発明では、放送番組や録画した番組などのコンテンツを出力しユーザーが視聴する場合に、ユーザーがそのコンテンツの情報を容易に確認できるようにし、利便性を向上させることを目的とする。
【課題を解決するための手段】
【０００８】
本発明のコンテンツ出力システムは、コンテンツ出力装置と、情報表示装置とが通信可能とされて成る。そして上記コンテンツ出力装置は、映像信号又は音声信号で構成されるコンテンツとして、出力可能な複数のコンテンツのうちの１つのコンテンツを、選択指示に応じて選択する選択手段と、上記選択手段で選択されたコンテンツを出力する出力手段とを備える。また上記情報表示装置は、表示手段と、コンテンツ情報表示として、上記コンテンツ出力装置において出力可能な複数のコンテンツの情報を、上記コンテンツ出力装置の上記出力手段で出力されるコンテンツが明示される状態で上記表示手段に表示させる制御手段とを備える。
【０００９】
本発明の情報表示装置は、外部機器と通信を行う通信手段と、表示手段と、コンテンツ情報表示として、外部機器であるコンテンツ出力装置において出力可能な複数のコンテンツの情報を、上記コンテンツ出力装置で出力されるコンテンツが明示される状態で表示させる制御手段とを備える。
また、操作手段を更に備え、上記制御手段は、上記操作手段の操作による選択指示を、上記通信手段により上記コンテンツ出力装置に送信させると共に、上記操作手段の操作による選択指示から上記コンテンツ出力装置で出力されるコンテンツを判別して、そのコンテンツが明示される状態の上記コンテンツ情報表示を実行させる。
或いは、上記制御手段は、上記通信手段で上記コンテンツ出力装置から送信されてくる出力コンテンツの通知情報を受信することにより、上記コンテンツ出力装置で出力されるコンテンツを判別して、そのコンテンツが明示される状態の上記コンテンツ情報表示を実行させる。
また上記制御手段は、上記コンテンツ情報表示として、上記コンテンツ出力装置において出力可能な複数のコンテンツの情報の一覧表示上で、上記コンテンツ出力装置で出力されるコンテンツの情報をハイライト表示させる。
また上記制御手段は、上記コンテンツ情報表示として、上記コンテンツ出力装置において出力可能な複数のコンテンツの情報の一覧表示と、上記コンテンツ出力装置で出力されるコンテンツの情報の拡大表示を実行させる。
また上記制御手段は、上記表示手段において、上記コンテンツ出力装置において出力可能な複数のコンテンツの情報の一覧表示を実行させているときに、上記コンテンツ出力装置でのコンテンツ出力に応じて、上記コンテンツ出力装置で出力されるコンテンツが明示される状態の上記コンテンツ情報表示を実行させる。
また上記制御手段は、上記表示手段において、上記コンテンツ出力装置において出力可能な複数のコンテンツの情報の一覧表示を実行させていないときに、上記コンテンツ出力装置で出力されるコンテンツの切換又はコンテンツ出力の開始を検知した場合には、上記一覧表示を実行させるとともに、上記コンテンツ出力装置から出力されるコンテンツが明示される状態の上記コンテンツ情報表示を実行させる。この場合、表示設定に応じて、上記コンテンツ情報表示を実行するか否かを判断するようにもする。
【００１０】
本発明のコンテンツ出力装置は、外部機器と通信を行う通信手段と、映像信号又は音声信号で構成されるコンテンツとして、出力可能な複数のコンテンツのうちの１つのコンテンツを、選択指示に応じて選択する選択手段と、上記選択手段で選択されたコンテンツを出力する出力手段と、上記選択手段で選択され、上記出力手段で出力するコンテンツの通知情報を、上記通信手段により外部機器に送信する制御手段とを備える。
【００１１】
本発明のコンテンツ情報表示方法は、コンテンツ出力装置と、情報表示装置とが通信可能に構成されたコンテンツ出力システムのコンテンツ情報表示方法である。そして上記コンテンツ出力装置において、映像信号又は音声信号で構成されるコンテンツとして出力可能な複数のコンテンツのうちの１つのコンテンツを、選択指示に応じて選択し、出力するコンテンツ出力ステップと、上記情報表示装置において、上記コンテンツ出力装置において出力可能な複数のコンテンツの情報を、上記コンテンツ出力装置で出力されるコンテンツが明示される状態で表示させる表示ステップとを備える。
【００１２】
つまり本発明では、コンテンツ出力装置において選択されて出力されるコンテンツに関する情報を、情報表示装置において一覧表示内で明示的に表示させる。
本発明でいうコンテンツとは、受信する放送番組や録画番組、音楽など、映像又は音声により構成され、ユーザーが視聴又は聴取するデータをいうが、コンテンツ出力装置では、複数のコンテンツから１つを選択して出力する。例えば放送番組を例に挙げれば、各放送局からの放送番組が出力可能なコンテンツであり、チャンネル切換が、出力するコンテンツの選択動作にあたる。このとき、出力可能な各放送番組内で、選択されて出力されている放送番組の情報が情報表示装置側で表示されていれば、ユーザーはチャンネル切換などを行ったときにコンテンツ出力装置側で出力されている放送番組の情報を、情報表示装置側で確認できる。このような放送番組について言えば、情報表示装置側では、一覧表示として、ＥＰＧ表示を利用できる。その場合、コンテンツ出力装置側で出力している放送番組（つまりユーザーが視聴している放送番組）に関する情報をハイライト表示などで明示的に表示することで、ＥＰＧ表示内で該当番組の情報をユーザーが認識できる。
【発明の効果】
【００１３】
本発明によれば、コンテンツ出力装置で出力されるコンテンツについての情報が、情報表示装置側で明示的に表示されることで、ユーザーは視聴しているコンテンツ、例えば放送番組等の内容を簡単に確認できる。例えばテレビジョン受像器を本発明のコンテンツ出力装置とし、表示機能を有するリモートコントローラ機器を本発明の情報表示装置とした場合、ユーザーはテレビジョン放送を視聴したり、チャンネル切換などを行っていくときに、そのリモートコントローラ機器により放送内容を知ることができ、非常に便利なものとなる。
【発明を実施するための最良の形態】
【００１４】
以下、本発明の実施の形態を次の順序で説明する。
［１．ホームネットワーク及び各機器の構成例］
［２．ＩＰリモコンでチャンネル操作を行った場合の処理例］
［３．テレビジョン受像器でチャンネル操作を行った場合の処理例］
［４．ＴＶリモコンでチャンネル操作を行った場合の処理例］
［５．録画番組の再生操作を行った場合の処理例］
［６．実施の形態の効果及び変形例］
【００１５】
［１．ホームネットワーク及び各機器の構成例］
図１に実施の形態のネットワークシステムの構成例を示す。
図１のネットワークは、例えば家庭や会社等の団体その他において複数の機器を相互に通信可能にネットワーク接続した例であり、この場合、テレビジョン受像器１，２，３、ビデオレコーダ（記録再生装置）４，５が、伝送路８により、それぞれ相互に通信可能とされている。伝送路８はＬＡＮを構成する有線伝送路又は無線伝送路である。
ネットワーク上のテレビジョン受像器１，２，３やビデオレコーダ４，５は単独で機能する他、相互に連携して機能できる。
【００１６】
リモートコントローラ７は、例えば赤外線方式でコマンド信号を特定の機器、例えばテレビジョン受像器１に送信する。
また、伝送路８にはアクセスポイント６が接続されており、アクセスポイント６を介してＩＰ（Internet Protocol）リモートコントローラ１０がネットワーク上の各機器と通信可能とされる。
なお説明上の区別のため、リモートコントローラ７はテレビジョン受像器１に対応するものとして「ＴＶリモコン」と呼び、ＩＰリモートコントローラ１０を「ＩＰリモコン」と呼ぶこととする。
【００１７】
ネットワーク上の各機器は、ＩＰリモコン１０により操作可能とされる。このＩＰリモコン１０は、ワイヤレスＬＡＮなどのネットワーク通信で各機器との間でコマンド信号や映像データ等のデータの送受信を行うことができるようにされている。
ＩＰリモコン１０は、ユーザーが所持できる小型軽量の筐体で形成され、例えば液晶パネルによる表示部１１や各種操作キー１２を備え、ユーザーはＩＰリモコン１０により各機器の操作を行うことができ、また映像を見ることができる。
例えばＩＰリモコン１０は、テレビジョン受像器１，２，３やビデオレコーダ４，５等を有機的に連動させるために用いられ、ユーザーは、ＩＰリモコン１０に表示されたビデオレコーダ４，５内に保存されている映像を視覚的に確認しながら、再生したい映像を選んだり、テレビジョン受像器１，２，３のチャンネルを切り替えたり、ＥＰＧ表示上で番組を指定して録画予約することがなどできるようにされている。
【００１８】
本実施の形態としては、本発明請求項でいうコンテンツ出力装置に相当する機器の例がテレビジョン受像器１，２，３やビデオレコーダ４，５であり、また本発明請求項でいう情報表示装置の例がＩＰリモコン１０であるとして説明を続ける。
【００１９】
図２にＩＰリモコン１０の内部構成を示す。図示する装置内の各部はバス２０を介してデータや制御信号のやりとりを行う。
ＣＰＵ２１は、ＩＰリモコン１０における各部の動作のための必要な演算処理を行い、各部を制御する。ＣＰＵ２１は入力スイッチマトリクス部１３で検出された操作キー１２による操作情報に基づいて、必要な制御を行う。
ＲＯＭ／ＲＡＭ１４は、ＣＰＵ２１の動作プログラムの記憶やリモートコントローラーとして出力する各種コマンド情報の格納に用いられ、また演算処理のワーク領域や受信したデータのバッファ領域として用いられる。なお本例ではＩＰリモコン１０においてＥＰＧ表示を行うが、ＥＰＧデータの格納もＲＯＭ／ＲＡＭ１４内で行われる。
なお、ＲＯＭ／ＲＡＭ１４としては各種メモリ領域を総括的に示しており、ＲＯＭ、Ｄ−ＲＡＭ、Ｓ−ＲＡＭ、不揮発性メモリなどが含まれる。
【００２０】
ネットワーク通信部１６は、図１に示したアクセスポイント６を介した通信として、ネットワークにおける各機器との間のデータ通信を行う。
データ入出力インターフェース１５は、例えばネットワーク通信部１６による外部機器との通信のためのインターフェース処理を行う。例えばＣＰＵ２１が送信しようとする制御信号やデータに対して所定の通信フォーマット処理を行い、バス２０を介してネットワーク通信部１６に転送し送信させる。またネットワーク通信部１６により受信された各種データの入力処理を行い、バス２０を介して所要の部位（ＣＰＵ２１，ＲＯＭ／ＲＡＭ１４、コーデック処理部１７、ＧＤＰ１８等）に転送する。
コーデック処理部１７は、出力する音声データのデコード処理やデジタルオーディオ処理、Ｄ／Ａ変換処理等を行い、アナログオーディオ信号をアンプ２２に供給してスピーカ２３からの音声出力を実行させる。
ＧＤＰ（グラフィックディスプレイプロセッサ）１８は、出力する映像データに関する処理や、各種画像の描画処理等を行う。ＧＤＰ１８で処理又は生成された映像データは表示部１１に供給され、映像表示出力される。
赤外線通信部１９は、赤外線信号により外部機器に操作コマンド信号を出力する。
【００２１】
ＣＰＵ２１において機能するソフトウエア構成を図３に示す。
ソフトウエア機能として、図示するようにＯＳ（Operating System）３０、ネットワークプロトコル処理部３１、グラフィックスプロセッサ３２、無線ＬＡＮ処理部３３、グラフィックスライブラリ３４、映像ストリーム処理部３５、リモート機器制御部３６、映像／音声／画像デコーダ部３７、ＩＰリモコンアプリケーション３８が形成される。
ＯＳ３０による基本処理上で機能するグラフィックプロセッサ３２，グラフィックスライブラリ３４により、表示部１１での表示動作が制御される。
またネットワークプロトコル処理部３１、無線ＬＡＮ処理部３３によりネットワーク通信部１６、データ入出力インターフェース１５の動作が制御される。
また映像ストリーム処理部３５、映像／音声／画像デコーダ部３７により、表示部１１やスピーカ部２３から出力される映像データ、音声データに関する処理が制御される。
リモート機器制御部３６により、ネットワーク通信による外部機器への制御情報の送信動作等が制御される。
ＩＰリモコンアプリケーション３８により、ネットワーク通信による制御情報の送信や赤外線コマンド信号の出力動作が制御される。
【００２２】
以上の構成のＩＰリモコン１０によっては、図１のようなネットワークに関して、例えば以下のような各種動作が実行できる。
・テレビジョン受像器１，２，３、ビデオレコーダ４，５のそれぞれに対して、赤外線コマンド信号を出力する通常のリモートコントローラーとしての動作。
・無線ＬＡＮとしてのネットワーク通信により、テレビジョン受像器１，２，３，ビデオレコーダ４，５に制御信号を供給し、所定の動作を要求する動作。例えば個々の機器の動作制御（電源オン／オフ、録画、再生、受信チャンネル設定など）や、関連動作の指示が可能である。関連動作の指示としては、例えばビデオレコーダ４で映像コンテンツを再生させ、テレビジョン受像器２で表示させるなどの動作の指示や、テレビジョン受像器３で受信復調された放送映像をビデオレコーダ５で録画させる動作の指示などが可能とされる。
・テレビジョン受像器１，２，３，ビデオレコーダ４，５のいずれかにおいて受信或いは再生される映像信号／音声信号を当該ＩＰリモコン１０に送信させ、ＩＰリモコン１０の表示部１１，スピーカ部２３で映像／音声を出力する動作。
・ＩＰリモコン１０で表示される映像をテレビジョン受像器１，２，３，ビデオレコーダ４，５において表示させたり記録させたりする動作。
・受信したＥＰＧ情報に基づいてＥＰＧ表示を実行する動作。ＥＰＧ表示に関する動作については後述する。
【００２３】
次に、図１に示したテレビジョン受像器１，２，３、ビデオレコーダ４，５の構成例を図４に示す。ここではテレビジョン受像器１とビデオレコーダ４を示している。
テレビジョン受像器１は、ＣＰＵ４１、ネットワーク通信部４２、コマンド受信部４３、操作部４４、メモリ部４５、チューナ部４６、映像／音声処理部４７、表示部４８、スピーカ部４９を備える。
【００２４】
ＣＰＵ４１は、テレビジョン受像器１における各部の動作のための必要な演算処理を行い、各部を制御する。
またネットワーク通信部４２としてＬＡＮ通信のインターフェース機能を備え、ＣＰＵ４１はネットワーク通信部４２により図１のネットワーク上の各機器との通信を行う。
操作部４４は例えばテレビジョン受像器筐体上に設けられた操作キー等の操作子である。またコマンド受信部４３は、例えば赤外線方式のＴＶリモコン７からの赤外線コマンド信号を受光し、電気信号に変換してＣＰＵ４１に供給する。ＣＰＵ４１は操作部４４やＴＶリモコン７を用いたユーザーの操作を検知して所要の制御を行う。
メモリ部４５は、ＲＯＭ、Ｄ−ＲＡＭ、Ｓ−ＲＡＭ、不揮発性メモリなどが含まれ、ＣＰＵ４１の動作プログラム、処理係数、設定情報、ＥＰＧデータなどの格納に用いられたり、演算処理のワーク領域やネットワーク通信データのバッファ領域などとして用いられる。
【００２５】
チューナ部４６はチャンネル選局処理や、受信された放送波についての受信復調処理を行い、放送番組としてのストリーム映像データを得る。なお、チューナ部４６が対応する放送方式は各種考えられ、地上波デジタル放送、地上波アナログ放送、ＢＳ，ＣＳ等のデジタル又はアナログ衛星放送などが考えられる。またチューナ部４６は、必ずしもアンテナで受信する放送波を復調する形態ではなく、いわゆるケーブルテレビ放送や、インターネット等のネットワークを介して供給されるストリーミング放送に対応するチューナ又はデコーダとしてもよい。
またチューナ部４６では、放送信号に重畳されているＥＰＧデータの分離も行われる。分離抽出されたＥＰＧデータは例えばメモリ部４５に格納される。
映像／音声処理部４７は、チューナ部４６で受信された放送番組としての映像信号や音声信号を、表示部４８やスピーカ部４９から出力するために所要の処理を行う。
【００２６】
ビデオレコーダ４は、ＣＰＵ５１、ネットワーク通信部５２、コマンド受信部５３、操作部５４、メモリ部５５、チューナ部５６、記録／再生処理部５７、記録メディアドライブ５８を備える。
【００２７】
ＣＰＵ５１は、ビデオレコーダ４における各部の動作のための必要な演算処理を行い、各部を制御する。またネットワーク通信部５２としてＬＡＮ通信のインターフェース機能を備え、ＣＰＵ５１はネットワーク通信部５２により図１のネットワーク上の各機器との通信を行う。
操作部５４はビデオレコーダ４の筐体上に設けられた操作キー等の操作子である。またコマンド受信部５３は、ビデオレコーダ４に対応する赤外線方式のリモートコントローラからの赤外線コマンド信号を受光し、電気信号に変換してＣＰＵ５１に供給する。ＣＰＵ５１は操作部５４やリモートコントローラを用いたユーザーの操作を検知して所要の制御を行う。
メモリ部５５は、ＲＯＭ、Ｄ−ＲＡＭ、Ｓ−ＲＡＭ、不揮発性メモリなどが含まれ、ＣＰＵ５１の動作プログラム、処理係数、設定情報、ＥＰＧデータ、録画リスト情報、録画予約リスト情報などの格納に用いられたり、演算処理のワーク領域やネットワーク通信データのバッファ領域などとして用いられる。
【００２８】
ビデオレコーダ４において、チューナ部５６はチャンネル選局処理や受信された放送波についての受信復調処理を行い、放送番組としてのストリーム映像データを得る。テレビジョン受像器１の場合と同様に、チューナ部５６が対応する放送方式や受信形態は各種考えられる。地上波デジタル放送、地上波アナログ放送、ＢＳ，ＣＳ等のデジタル又はアナログ衛星放送などである。またチューナ部５６は、ケーブルテレビ放送やインターネット等のネットワークを介して供給されるストリーミング放送に対応するチューナ又はデコーダでもよい。またチューナ部５６でもＥＰＧデータの分離が行われ、分離抽出されたＥＰＧデータをメモリ部５５に格納することもできる。
【００２９】
記録メディアドライブ５８は、例えばＨＤＤ（Hard Disc Drive）である。
記録／再生処理部５７，記録メディアドライブ５８は、放送番組の録画再生を行う。即ち録画を行う場合は、チューナ部５６で得られたストリーム映像データに対して、記録／再生処理部５７で所定の記録用の圧縮処理やエンコード処理を行い、記録メディアドライブ５８に供給する。記録メディアドライブ５８は供給されたストリーム映像データを記録していく。
再生時には、記録メディアドライブ５８で読み出された映像データについて記録／再生処理部５７でデコード処理や圧縮処理に対する伸長処理を行い、元のストリーム映像データの形態で出力する。
なお、記録メディアドライブ５８は、ＨＤＤ以外でも、光ディスク、磁気テープ、固体メモリなど各種の記録メディアに対応するドライブとしてもよい。
【００３０】
図４ではテレビジョン受像器１、ビデオレコーダ４についての構成例を示したが、他のテレビジョン受像器２，３、ビデオレコーダ５も、概略同様の構成とすることができる。もちろん、テレビジョン受像器１，２，３、ビデオレコーダ４，５の構成例は図４の構成に限られることなく、多様な例が考えられる。
また図１のネットワークには、テレビジョン受像器やビデオレコーダだけでなく、パーソナルコンピュータ、オーディオ再生機、オーディオ記録再生機、チューナ機能のない映像モニタ装置、テレビジョン放送やラジオ放送のチューナ機器、オーディオアンプ機器、インターネット等の外部ネットワークとの間の通信機器など、他の種の機器が接続される場合もある。
【００３１】
［２．ＩＰリモコンでチャンネル操作を行った場合の処理例］
本例では例えば上記のネットワークにおいて、テレビジョン受像器１等でユーザーがテレビジョン放送を視聴のためにチャンネル切換を行った場合に、出力されている放送番組の内容をユーザーがＩＰリモコン１０において確認できるようにする。
以下では、テレビジョン受像器１を本発明請求項のコンテンツ出力装置、ＩＰリモコン１０が本発明請求項の情報表示装置として機能する場合の動作例を説明していく。本発明請求項でいうコンテンツとは、ここでは各チャンネルの放送番組が相当する。
【００３２】
なお、テレビジョン受像器１で視聴する放送番組についてのチャンネルを切り換えるためのユーザーの操作手法としては、ＩＰリモコン１０を使用して操作する手法、テレビジョン受像器１のパネルキー（操作部４４）を使用して操作する手法、及びＴＶリモコン７を使用して操作する手法がある。
ここではまず、ＩＰリモコン１０を用いてチャンネル操作する場合の動作例を、ＩＰリモコン１０の処理例Ｉ〜IVとして述べる。
【００３３】
ＩＰリモコン１０では、放送番組の情報としてＦＰＧ表示を行う。
図５は、表示部１１にＥＰＧ表示、即ち各チャンネルの放送局の番組表が表示されている状態を示している。ＩＰリモコン１０はユーザーがＥＰＧ表示の操作を行った際などに、取得しているＥＰＧデータに基づいて、図５のようにＥＰＧ表示を実行させることができる。
ＥＰＧデータの取得の手法は各種考えられる。上記図４のようにテレビジョン受像器１やビデオレコーダ４等にチューナ機能が備えられている場合、放送波からＥＰＧデータを取得できる。ＩＰリモコン１０はテレビジョン受像器１等が取得したＥＰＧデータを、ネットワーク通信により転送してもらうことにより、常に最新のＥＰＧデータを取得できる。
また図１には示していないが、ネットワーク上にパーソナルコンピュータ等の外部ネットワークと接続可能な機器が存在する場合、インターネット等からＥＰＧデータをダウンロードできるため、そのダウンロードしたＥＰＧデータがＩＰリモコン１０にも転送されるようにしてもよい。
さらに、ＩＰリモコン１０自体が放送波受信機能を備えていたり、或いはインターネットウエブサイト等に対するアクセス機能を備えていれば、ＩＰリモコン１０は自分でＥＰＧデータを取得することも可能である。
【００３４】
このようなＥＰＧデータを利用して、テレビジョン放送のチャンネル切換操作に応じてユーザーに放送内容の情報を提示する動作例を説明していく。
【００３５】
図８はユーザーがＩＰリモコン１０によりチャンネル操作を行った場合の処理例Ｉを示している。この図８の処理は、ＩＰリモコン１０のＣＰＵ２１の処理となる。
ユーザーがＩＰリモコン１０における操作キー１２によりチャンネル操作を行い、ＣＰＵ２１がその操作を検知したら、処理をステップＦ１０１からＦ１０２に進め、切り換えるべきチャンネル情報をテレビジョン受像器１に送信する。この場合、ＣＰＵ２１はネットワーク通信部１６からのネットワーク通信によりチャンネル情報をテレビジョン受像器１に送信してもよいし、赤外線通信部１９から赤外線コマンド信号としてチャンネル情報を送信してもよい。この処理により、テレビジョン受像器１のＣＰＵ４１は、ネットワーク通信部４２もしくはコマンド受信部４３を経由してチャンネル情報を受信し、チューナ部４６での選局チャンネルを切り換える制御を行う。これによってテレビジョン受像器１では、ユーザーが切り換えたチャンネルの番組が出力され、ユーザーはその番組を視聴する状態となる。
【００３６】
続いてＣＰＵ２１はステップＦ１０３で、現在表示部１１で、図５のようにＥＰＧ表示を実行しているか否かを判断する。ＥＰＧ表示を実行していなければ、ＣＰＵ２１はそのままチャンネル切換操作に関連する処理を終えるが、ＥＰＧ表示を実行しているのであれば、ステップＦ１０４に進んで、切換先のチャンネルの番組情報を、ＥＰＧ表示上でハイライト表示させる。即ちＣＰＵ２１は、ユーザー操作に応じてテレビジョン受像器１に送信したチャンネル情報から、テレビジョン受像器１で現在表示されている番組のチャンネルを判別できるため、そのチャンネルの番組情報をハイライト表示させる。図６には、ハイライト表示ＨＬとして、切り換えられた現在のチャンネルの番組情報が明示的に表示され、ユーザーが認識できるように表示している例を示している。
このようにハイライト表示ＨＬを実行させる制御を行って、チャンネル切換操作に関連する処理を終える。
【００３７】
また、再びユーザーが操作キー１２によりチャンネル切換操作を行った場合は、同様に図８の処理が実行される。例えば４チャンネルから３チャンネルに切り換える操作を行った場合、ステップＦ１０４の処理で、ＩＰリモコン１０での表示は図６から図７のようにハイライト表示ＨＬとして強調される番組情報が切り替えられることになる。例えば、それまで図６のように４チャンネルの番組情報をハイライト表示していた場合、そのハイライト表示を終了させ、図７のように３チャンネルの番組情報をハイライト表示させる。
【００３８】
このような処理が行われることで、ユーザーは、ＩＰリモコン１０を操作しながら、現在テレビジョン受像器１で表示されている番組の内容をＩＰリモコン１０上の表示で確認することができる。
これにより、ユーザーは現在のチャンネルの番組が見たい番組であるか否かという判断が容易となる。特にチャンネルを切り換えた直後に少しだけ番組を見ているときや、或いは切り換えたチャンネルがＣＭ中であった場合など、そのチャンネルが見たい番組のチャンネルであるか否かがわからないことが多々あるが、ＥＰＧ表示で現在の番組がハイライト表示されているため、容易に確認できる。
また、ＥＰＧ表示は番組の一覧表示であることから、同時間帯の他のチャンネルの番組の情報も確認でき、見たい番組を探すことや、何となくチャンネルを切換ながら見たい番組を探すような場合にも便利である。
【００３９】
続いて図９に、ユーザーがＩＰリモコン１０によりチャンネル操作を行った場合の処理例IIを示す。この図９の処理も、ＩＰリモコン１０のＣＰＵ２１の処理となる。
なお、図９においてステップＦ１０１〜Ｆ１０４は、図８のステップＦ１０１〜Ｆ１０４と同様であるため、繰り返しの説明を避ける。
この場合、ステップＦ１０３で、ＣＰＵ２１が現在表示部１１でＥＰＧ表示を実行していないと判断したときに、ステップＦ１０５に進んで、それまでの表示をＥＰＧ表示に切り換えることが上記図８と異なる。そしてステップＦ１０５でＥＰＧ表示を実行させたら、ステップＦ１０４で、切換先の番組情報をハイライト表示させる。
つまり図８の処理例Ｉでは、チャンネル切換先の番組情報のハイライト表示は、表示部１１にＥＰＧ表示が実行されている場合のみとしたが、この図９の処理例IIは、チャンネル切換時点での表示部１１での表示内容にかかわらず、ＥＰＧ表示上でのハイライト表示を実行させるようにするものである。
【００４０】
なお、チャンネル切換操作の際にＥＰＧ表示が行われておらず、ステップＦ１０３→Ｆ１０５→Ｆ１０４と進んでＥＰＧ表示上でハイライト表示を行った場合は、その後はユーザーの何らかの操作があるまで、その表示を続けても良いが、例えば一定時間経過したら、ステップＦ１０５でＥＰＧ表示を実行する直前の画面内容に戻すようにしてもよい。
【００４１】
図１０に、ユーザーがＩＰリモコン１０によりチャンネル操作を行った場合の処理例IIIを示す。
上記図８の処理例Ｉでは、切換先のチャンネルの番組情報をハイライト表示させるのは、切換操作時にＥＰＧ表示が実行されている場合のみとした。一方、上記図９の処理例IIでは、切換操作時の表示状態に関わらず、チャンネル切換操作時に切換先のチャンネルの番組情報をハイライト表示させるようにした。
このいずれの処理が使用上好ましいかは、ユーザー個人毎に異なる。そこで処理例IIIは、ユーザーの表示設定に応じてチャンネル切換操作時にＥＰＧ表示を実行するか否かを決定するようにした例とする。
【００４２】
例えばチャンネル切換操作時の表示モードの設定のためＣＰＵ２１は、表示部１１に図１０（ｂ）のような番組表表示設定画面を表示させ、ユーザーの入力に応じてモード設定する。ＣＰＵ２１は選択されたモードの情報をＲＯＭ／ＲＡＭ１４に記憶しておく。
この画面においてユーザーは、チャンネル切換操作時に自動的にＥＰＧ表示が実行されるようにするか、あるいは自動的なＥＰＧ表示は実行しないようにするかを予め選択しておくことができる。
【００４３】
このような表示設定を反映させるＣＰＵ２１の処理を図１０（ａ）に示す。ステップＦ１０１〜Ｆ１０４は上記図８，図９と同様である。
この場合、ステップＦ１０３で、ＣＰＵ２１が現在表示部１１でＥＰＧ表示を実行していないと判断したときに、ステップＦ１０６に進んで、チャンネル切換操作時に自動的にＥＰＧ表示が実行されるモードが選択されているか否かを判断する。このモードが選択されていなければそのまま処理を終えるが、選択されていれば、ステップＦ１０７に進んでそれまでの表示をＥＰＧ表示に切り換え、ステップＦ１０４で、切換先の番組情報をハイライト表示させる。
つまりユーザーがあらかじめ図１０（ｂ）の設定画面上で、「自動的な番組表の表示は行わない」を選択していれば、図１０（ａ）の処理は図８と同様になり、一方、「チャンネル切換に応じて自動的に番組表を表示する」を選択していれば、図１０（ａ）の処理は図９と同様になる。
このようにすることでユーザー個人個人の好みや必要性に応じた処理が実行される。
【００４４】
図１１に処理例IVを示す。
ステップＦ１０１〜Ｆ１０３は図８と同様である。この処理例IVでは、ステップＦ１０３でＥＰＧ表示中と判断されたときに、ステップＦ１０８に進み、切換先のチャンネルの番組情報を拡大表示するものである。
例えば図５のようなＥＰＧ表示が行われているときに３チャンネルに切り換えられたとすると、ステップＦ１０８において図１２に示すようにそのチャンネルの番組情報が表示部１１上で拡大されることで、現在のチャンネルの番組情報が明示される。
このような拡大表示によっても、ユーザーは現在のチャンネルの番組内容を容易に確認できる。
【００４５】
なお、ステップＦ１０３でＥＰＧ表示中ではないと判断したときには、ＥＰＧ表示を実行させた上で、該当チャンネルを拡大表示させるようにしてもよい。例えば一旦図５の表示を実行し、その直後に図１２の表示を行うような例である。或いは、図５の番組表一覧表示と図１２の該当番組拡大表示を一定時間毎に切り換えるようにしても良いし、ユーザー操作によって図５の表示と図１２の表示とが任意に切り換えられるようにしてもよい。
或いはこれらの場合に図５の表示ではなく、該当番組をハイライト表示させた図７の表示と図１２の表示を切り換えるようにしても良い。
さらには、図１１でステップＦ１０３の処理を無くし、チャンネル切換操作時に、常に切換先のチャンネルの番組情報を拡大表示させるようにしてもよい。
【００４６】
また図１２のような拡大表示を行った後は、一定時間経過したら自動的に元の図５のＥＰＧ表示、或いは該当番組をハイライト表示させた図７の表示に切り替わるようにしてもよい。
またＥＰＧ表示を実行していなくてもステップＦ１０８の拡大表示をさせる場合、一定時間経過後やユーザー操作に応じて、元の画面内容に戻すことが考えられる。
また、この図１２のような拡大表示の実行を、上記図１０（ｂ）のような表示設定で選択できるようにしてもよい。
【００４７】
［３．テレビジョン受像器でチャンネル操作を行った場合の処理例］
次に、ユーザーがテレビジョン受像器１のパネル操作子（図４の操作部４４）を用いてチャンネル切換操作を行った場合の処理を図１３で説明する。
図１３にはテレビジョン受像器１のＣＰＵ４１の処理と、ＩＰリモコン１０のＣＰＵ２１の処理を示している。
【００４８】
ユーザーがテレビジョン受像器１の操作部４４からチャンネル切換操作を行い、ＣＰＵ４１がそれを検知した場合、ＣＰＵ４１の処理はステップＦ２０１からＦ２０２に進み、ＣＰＵ４１はチューナ部４６での選局チャンネルを切り換える制御を行う。これによってテレビジョン受像器１では、ユーザーが切り換えたチャンネルの番組が出力され、ユーザーはその番組を視聴する状態となる。
このときＣＰＵ４１は、ステップＦ２０３で、ＩＰリモコン１０に対して切換先のチャンネル情報を通知する。即ちネットワーク通信部４２からＩＰリモコン１０に対しての通知情報としてチャンネル情報を送信させる。
【００４９】
一方ＩＰリモコン１０のＣＰＵ２１は、テレビジョン受像器１からのチャンネル情報を受信したら、処理をステップＦ２１１からＦ２１２に進める。そして現在表示部１１にＥＰＧ表示を実行しているか否かを判断する。ＥＰＧ表示を実行していなければ、ＣＰＵ２１はそのままチャンネル情報受信に関連する処理を終えるが、ＥＰＧ表示を実行しているのであれば、ステップＦ２１３に進んで、もし、それまである番組情報をハイライト表示していれば、それを終了させ、切換先のチャンネルの番組情報を、例えば図６のようにＥＰＧ表示上でハイライト表示させる。そしてチャンネル情報受信に関連する処理を終える。
これによりユーザーは、テレビジョン受像器１側でのチャンネル切換操作によって出力されている番組の内容を、ＩＰリモコン１０側で確認できることになる。
【００５０】
なお、この場合のＩＰリモコン１０での表示動作は、上記図８の処理に準じたものとなるが、上記図９，図１０，図１１あるいはそれらの変形例として述べた処理がＩＰリモコン１０側で行われるようにしてもよい。
【００５１】
［４．ＴＶリモコンでチャンネル操作を行った場合の処理例］
次に、ユーザーがＴＶリモコン７を用いてテレビジョン受像器１に対するチャンネル切換操作を行った場合の処理を図１４で説明する。
図１４にはＴＶリモコン内のＣＰＵの処理と、テレビジョン受像器１のＣＰＵ４１の処理と、ＩＰリモコン１０のＣＰＵ２１の処理を示している。
【００５２】
ユーザーがＴＶリモコン７でチャンネル切換操作を行う場合、ＴＶリモコン７内のＣＰＵは、ステップＦ３０１でユーザー操作の検知に応じて、ステップＦ３０２でチャンネル切換コマンドとしての赤外線信号を出力する。
テレビジョン受像器１のＣＰＵ４１は、コマンド受信部４３で受信されたＴＶリモコン７からのチャンネル切換コマンドを検知したら、処理をステップＦ３１１からＦ３１２に進め、ＣＰＵ４１はチューナ部４６での選局チャンネルを切り換える制御を行う。これによってテレビジョン受像器１では、ユーザーが切り換えたチャンネルの番組が出力され、ユーザーはその番組を視聴する状態となる。
このときＣＰＵ４１は、ステップＦ３１３で、ＩＰリモコン１０に対して切換先のチャンネル情報を通知する。即ちネットワーク通信部４２からＩＰリモコン１０に対しての通知情報としてチャンネル情報を送信させる。
【００５３】
ＩＰリモコン１０のＣＰＵ２１は、テレビジョン受像器１からのチャンネル情報を受信したら、処理をステップＦ３２１からＦ３２２に進める。そして現在表示部１１にＥＰＧ表示を実行しているか否かを判断する。ＥＰＧ表示を実行していなければ、ＣＰＵ２１はそのままチャンネル情報受信に関連する処理を終えるが、ＥＰＧ表示を実行しているのであれば、ステップＦ３２３に進んで、もし、それまである番組情報をハイライト表示していれば、それを終了させ、切換先のチャンネルの番組情報を、例えば図６のようにＥＰＧ表示上でハイライト表示させる。そしてチャンネル情報受信に関連する処理を終える。
これによりユーザーは、ＴＶリモコン７でのチャンネル切換操作によって出力されている番組の内容を、ＩＰリモコン１０側で確認できることになる。
【００５４】
なお、この場合のＩＰリモコン１０での表示動作は、上記図８の処理に準じたものとなるが、上記図９，図１０，図１１あるいはそれらの変形例として述べた処理がＩＰリモコン１０側で行われるようにしてもよい。
【００５５】
［５．録画番組の再生操作を行った場合の処理例］
以上の各例はテレビジョン受像器１でのチャンネル切換に応じて、番組内容がＩＰリモコン１０上におけるＥＰＧ表示内で明示的に表示されるものとした例であるが、ビデオレコーダ４でのコンテンツ再生時、つまり録画した番組などを再生させるときにも、その再生出力されるコンテンツの情報をＩＰリモコン１０で明示的に表示させることもできる。
【００５６】
この場合の処理の一例を図１５に示す。
図１５にはビデオレコーダ４のＣＰＵ５１の処理と、ＩＰリモコン１０のＣＰＵ２１の処理を示している。ビデオレコーダ４で記録再生するコンテンツは、録画される放送番組であるとする。
【００５７】
ユーザーがビデオレコーダ４の操作部５４や、ビデオレコーダ４に対応するリモートコントローラ等を用いて、記録メディアドライブ５８に記録されている或るコンテンツを再生させる操作を行った場合、ＣＰＵ５１はそれを検知すると、ステップＦ４０１からＦ４０２に進み、記録メディアドライブ５８及び記録／再生処理部５７を制御して、指定された録画番組の再生を実行させる制御を行う。
これによって記録メディアドライブ５８から再生された録画番組は、例えばテレビジョン受像器１等に転送されて出力され、ユーザーはその録画番組を視聴する状態となる。
このときＣＰＵ５１は、ステップＦ４１２で、ＩＰリモコン１０に対して、録画リスト、及び録画リストの中から上記操作で選択された再生する録画番組の情報を通知する。即ちネットワーク通信部５２からＩＰリモコン１０に対しての通知情報として録画リストと再生番組の情報を送信させる。
【００５８】
ＩＰリモコン１０のＣＰＵ２１は、ビデオレコーダ４からの録画リストと再生番組の情報を受信したら、処理をステップＦ４１１からＦ４１２に進める。そして表示部１１において、録画リストを表示させると共に、その中で、再生のために選択され、現在再生されている録画番組の情報をハイライト表示させる。図１６には、録画リストが表示されるとともに、その中で現在再生中の番組がハイライト表示ＨＬとして明示されている例を示している。
これによりユーザーは、ビデオレコーダ４で再生させている録画番組の情報を、ＩＰリモコン１０側で確認できることになる。
【００５９】
［６．実施の形態の効果及び変形例］
以上、実施の形態としての各種処理例を説明してきたが、これらの実施の形態によれば次のような効果が得られる。
まず、テレビジョン受像器１のチャンネル切換が行われた場合に、現在出力されている番組がどの番組であるかを、ユーザーはＩＰリモコン１０上で容易に確認できることになる。このため、番組確認のために新聞等を探すといった手間がなくなる。ＥＰＧ表示には、簡単な番組内容や出演者等の情報も含まれているため、番組タイトルだけでなく、それらの情報も確認できる。このため、見たい番組を探すときなどに便利である。
また、番組等の情報が一覧表示されることで、その時点で見ていない同時刻に放送されている他の番組についても確認でき、その点でも見たい番組を探すことに便利である。
もちろん、他のテレビジョン受像器２，３で番組を視聴する場合も同様の処理が行われることで、同様の効果が得られる。
また、ビデオレコーダ４，５での再生時に、再生する番組をＩＰリモコン１０において知ることができる。例えば或るユーザーが録画番組を再生させているときに、そのユーザーの家族等が、ＩＰリモコン１０での録画リスト上でハイライト表示されている内容を見ることで、その録画番組を見ているかを確認することなども可能である。
【００６０】
またチャンネル切換操作は、ＩＰリモコン１０を利用したり、テレビジョン受像器１の操作部４４を用いたり、ＴＶリモコン７を利用したりするなど、多様な操作方法があるが、上記のようにどの操作の場合でも、ＩＰリモコン１０において切換先のチャンネルの番組を確認できるため、ユーザーはどの操作でチャンネル切換を行えばよいかを気にする必要はない。
【００６１】
図９のような処理例によれば、チャンネル切換の際にＥＰＧ表示及び視聴している番組のハイライト表示ＨＬが行われることで、ユーザーはＩＰリモコン１０でのＥＰＧ表示操作を意識することなく、単にチャンネル切換時にＩＰリモコン１０を見れば番組を確認できる。
一方、図１０のようにユーザーの好みや必要性に応じてＥＰＧ表示及びハイライト表示を実行させるか否かを決めることで、個々のユーザーに適した動作とすることができる。
【００６２】
なお、本発明は上記実施の形態に関わらず、多様な変形例が考えられる。
一覧表示上での明示的な表示の例として、ＥＰＧ表示や録画リスト表示上での該当番組のハイライト表示や拡大表示の例を挙げたが、このような表示態様に限られない。
ハイライト表示に代えて、該当番組のみを異なる色で表示したり、枠カーソルで囲ったり、点滅させたりする表示も、明示的な表示といえる。
【００６３】
また上記例ではテレビジョン受像器１に関して、チャンネル切換時に該当番組をハイライト表示するものとしたが、例えばテレビジョン受像器１を電源オンとして視聴を開始するときも、その時点で出力されているチャンネルの番組をハイライト表示させるようにすることも好適である。その場合、テレビジョン受像器１は、電源オンの際に選局しているチャンネルの情報をＩＰリモコン１０に送信すればよい。
その後は上記例のようにチャンネル切換に応じて表示制御されることで、ＩＰリモコン１０では、常に視聴している番組を確認できることになる。
【００６４】
また、テレビジョン受像器１で視聴する番組やビデオレコーダ４での録画番組の一覧表示としてＥＰＧ表示や録画リスト表示を例に挙げたが、例えばＣＤ、ＤＶＤ、ブルーレイディスクなどに記録されたコンテンツを一覧表示して、或るコンテンツの再生や再生するコンテンツの切換に応じて、該当コンテンツを明示的に表示することも想定できる。
【００６５】
図１のネットワーク上に複数個のＩＰリモコン１０が繋がっている場合は、上記例のような処理が、全てのＩＰリモコン１０で実行されればよい。もちろん、一部のＩＰリモコン１０のみで実行されるようにカスタマイズできるようにすることも好適である。
また本発明請求項の情報表示装置の例としてＩＰリモコン１０を挙げたが、ＩＰリモコン１０以外の機器が本発明請求項の情報表示装置として機能してもよい。例えばＰＤＡ（Personal Digital Assistant）やパーソナルコンピュータ、或いは携帯電話機などが上記ＩＰリモコン１０の処理として説明した処理を実行することで、本発明請求項の情報表示装置として実現できる。
さらに、例えば図１のネットワークにおいて、例えばテレビジョン受像器１とテレビジョン受像器２が相互に、本発明請求項のコンテンツ出力装置と情報表示装置として機能することも可能である。例えばテレビジョン受像器１で放送番組を視聴しているときに、テレビジョン受像器２で該当番組がハイライト表示されたＥＰＧ表示が行われるようにし、一方、テレビジョン受像器２で放送番組を視聴しているときに、テレビジョン受像器１で該当番組がハイライト表示されたＥＰＧ表示が行われるようにすることも考えられる。
【図面の簡単な説明】
【００６６】
【図１】本発明の実施の形態のネットワーク構成の説明図である。
【図２】実施の形態のＩＰリモコンのブロック図である。
【図３】実施の形態のＩＰリモコンのソフトウエア構成の説明図である。
【図４】実施の形態のテレビジョン受像器及びビデオレコーダのブロック図である。
【図５】実施の形態のＩＰリモコン上のＥＰＧ表示の説明図である。
【図６】実施の形態のＩＰリモコン上のＥＰＧ及びハイライト表示の説明図である。
【図７】実施の形態のＩＰリモコン上のＥＰＧ及びハイライト表示の説明図である。
【図８】実施の形態のＩＰリモコンでのチャンネル操作時の処理例Ｉのフローチャートである。
【図９】実施の形態のＩＰリモコンでのチャンネル操作時の処理例IIのフローチャートである。
【図１０】実施の形態のＩＰリモコンでのチャンネル操作時の処理例IIIのフローチャート及び表示設定画面の説明図である。
【図１１】実施の形態のＩＰリモコンでのチャンネル操作時の処理例IVのフローチャートである。
【図１２】実施の形態のＩＰリモコン上の番組情報の拡大表示の説明図である。
【図１３】実施の形態のテレビジョン受像器側でのチャンネル操作時の処理のフローチャートである。
【図１４】実施の形態のＴＶリモコン側でのチャンネル操作時の処理のフローチャートである。
【図１５】実施の形態のビデオレコーダでの再生時の処理のフローチャートである。
【図１６】実施の形態のビデオレコーダでの再生時の録画リスト及びハイライト表示の説明図である。
【符号の説明】
【００６７】
１，２，３  テレビジョン受像器、４，５  ビデオレコーダ、６  アクセスポイント、７  ＴＶリモコン、８  伝送路、１０  ＩＰリモコン、１１  表示部、１２  操作キー、１４  ＲＯＭ／ＲＡＭ、１６，４２，５２  ネットワーク通信部、２１，４１，５１  ＣＰＵ、４６，５６  チューナ部、４７  映像／音声処理部、５７  記録／再生処理部、５８  記録メディアドライブ
【図１】
2007158806.tif 000003
【図２】
2007158806.tif 000004
【図３】
2007158806.tif 000005
【図４】
2007158806.tif 000006
【図５】
2007158806.tif 000007
【図６】
2007158806.tif 000008
【図７】
2007158806.tif 000009
【図８】
2007158806.tif 000010
【図９】
2007158806.tif 000011
【図１０】
2007158806.tif 000012
【図１１】
2007158806.tif 000013
【図１２】
2007158806.tif 000014
【図１３】
2007158806.tif 000015
【図１４】
2007158806.tif 000016
【図１５】
2007158806.tif 000017
【図１６】
2007158806.tif 000018